(57)【特許請求の範囲】
【請求項１】
合成樹脂で形成したネット状のフィルタを合成樹脂で形成した枠対に熱溶着し、室内ユニットの吸込口に備えるフィルタ挿入ガイドに挿脱自在に装着するようにしてなる空気調和機のプレフィルタにおいて、前記枠体の挿入方向に直交して肉薄部を複数設けてなり、前記フィルタ挿入ガイドへの装着時に、前記肉薄部が交互に折曲してプリーツ状に形成され、前記フィルタ挿入ガイドから外した状態では、前記肉薄部が伸びて略平面状に形成されるようにしてなることを特徴とする空気調和機のプレフィルタ。
【請求項２】
前記肉薄部に、枠体を直線状に伸ばす方向に付勢するバネを設けてなることを特徴とする請求項１記載の空気調和機のプレフィルタ。
【請求項３】
前記肉薄部に、中厚部を設け、前記枠体を直線状に伸ばす方向に付勢してなることを特徴とする請求項１記載の空気調和機のプレフィルタ。
【請求項４】
前記枠体に設けた肉薄部と肉薄部との間隔が、フィルタ挿入ガイドの幅より長く形成されてなることを特徴とする請求項１記載の空気調和機のプレフィルタ。
【請求項５】
前記フィルタ挿入ガイド内の前後の少なくとも一方に、前記肉薄部に対応する突起を設けてなることを特徴とする請求項１記載の空気調和機のプレフィルタ。
【発明の詳細な説明】
【０００１】
【発明の属する技術分野】
本発明は、空気調和機のプレフィルタに係わり、とくに、フィルタ効率のよいプリーフ式とし、しかも着脱が容易なものに関する。
【０００２】
【従来の技術】
図５に示すように、従来の空気調和機のプレフィルタ１は、合成樹脂で形成したネット状のフィルタ１ａを合成樹脂で形成した枠体２に熱融着等により一体化してなり、図１に示すように、室内ユニット３の吸込口３ａに備えるフィルタ挿入ガイド３ｂに着脱自在に装着するようにしていた。
しかし、空気調和機のプレフィルタは、埃を取り除くため、２週間に１度程度の掃除が必要であり、このネット状のフィルタ１ａは掃除をし易くするため面状に形成されており、吸込口３ａの面積が限られているため、フィルタの面積を広くできず、フィルタ効果を高めることができなかった。
そこで、フィルタ効果を高める、交互に折り曲げて鋸歯状に形成したフィルタを所定の枠体内に収納してプリーフ式にしたものが考えられているが、掃除がし難いという問題があった。
【０００３】
【発明が解決しようとする課題】
本発明は以上述べた問題点を解決し、プリーフを形成してフィルタ効果を高めると共に、掃除し易い構造にした空気調和機のプレフィルタを提供することを目的としている。
【０００４】
【課題を解決するための手段】
本発明は上述の課題を解決するために、合成樹脂で形成したネット状のフィルタを合成樹脂で形成した枠対に熱溶着し、室内ユニットの吸込口に備えるフィルタ挿入ガイドに挿脱自在に装着するようにしてなる空気調和機のプレフィルタにおいて、前記枠体の挿入方向に直交して肉薄部を複数設けてなり、前記フィルタ挿入ガイドへの装着時に、前記肉薄部が交互に折曲してプリーツ状に形成され、前記フィルタ挿入ガイドから外した状態では、前記肉薄部が伸びて略平面状に形成されるようにしている。
【０００５】
前記肉薄部に、枠体を直線状に伸ばす方向に付勢するバネを設けてなる空気調和機のプレフィルタとしている。
【０００６】
前記肉薄部に、中厚部を設け、前記枠体を直線状に伸ばす方向に付勢してなる空気調和機のプレフィルタとしている。
【０００７】
前記枠体に設けた肉薄部と肉薄部との間隔が、フィルタ挿入ガイドの幅より長く形成されてなる空気調和機のプレフィルタとしている。
【０００８】
前記フィルタ挿入ガイド内の前後の少なくとも一方に、前記肉薄部に対応する突起を設けてなる空気調和機のプレフィルタとしている。
【０００９】
【発明の実施の形態】
以上のように、本発明の空気調和機のプレフィルタにおいては、枠体の挿入方向に直交して肉薄部を表裏交互に設けてなり、フィルタ挿入ガイドへの装着時に同肉薄部が交互に折曲してフリーツを形成するようにしたので、室内ユニットの吸込口に備えるフィルタ挿入ガイドに挿着することにより、同肉薄部が交互に折曲してフリーツを形成し、装着時のフィルタ効果を高め、外した状態では肉薄部を伸ばして略平面状にし、清掃を容易にした。
【００１０】
【実施例】
以下、図面に基づいて本発明による空気調和機のプレフィルタを詳細に説明する。
図１は空気調和機のプレフィルタの実装状態を示す、要部断面図である。
図１に示すように、プレフィルタ１は、室内ユニット３の吸込口３ａに備えるフィルタ挿入ガイド３ｂに着脱自在に装着している。
【００１１】
図２は本発明による空気調和機のプレフィルタの一実施例を示す要部断面図で、（Ａ）は実装状態、（Ｂ）は外して伸ばした状態を示している。
図において、１は前記プレフィルタで、ネット状のフィルタ１ａを複数の肉薄部２ａを挿入方向に直交して表裏交互に有する枠体２に熱融着している。
また、前記フィルタ挿入ガイド３ｂは前記枠体２の肉薄部２ａ間の長さより狭く形成されており、前面内側には前記肉薄部２ａに対応する突起３ｂ１が設けられている。  このため、このプレフィルタ１を図２−（Ｂ）に示すように伸ばした状態で前記フィルタ挿入ガイド３ｂの下から挿入すると、図２−（Ａ）に示すように、肉薄部２ａが交互に折れ曲がり、プリーツを形成してフィルタ挿入ガイド３ｂ内に収納される。
【００１２】
図３は前記プレフィルタ１の実施例を示す要部拡大図で、図に示すように、合成樹脂で形成した枠体２の肉薄部２ａを表裏交互に形成している。
また、この肉薄部２ａには部分的に中厚部２ａ１を設けており、プレフィルタ１を床に置いたとき、この中厚部２ａ１が、枠体２を伸ばす方向に付勢するようにしている。
【００１３】
図４は前記プレフィルタ１の他の実施例を示す要部拡大図で、図に示すように、前記枠体２に形成した肉薄部２ａに、薄い板バネ２ａ２を平行して取り付けて枠体２を伸ばす方向に付勢するようにしている。
【００１４】
以上の構成において、つぎにその動作を説明する。
図２で説明したように、このプレフィルタ１は外した状態では、図２−（Ｂ）に示すように伸びており、この伸びたプレフィルタ１を、前記フィルタ挿入ガイド３ｂの下から挿入することにより、図２−（Ａ）に示すように、肉薄部２ａが交互に折れ曲がり、プリーツを形成してフィルタ挿入ガイド３ｂ内に収納されるのでフィルタ効率を高めることができる。
また、逆にフィルタ挿入ガイド３ｂの下からプレフィルタ１を引き出すと、肉薄部２ａが伸びて平面状になるので、容易に掃除機等で埃を吸い取ったり、洗浄したりすることができる。
【００１５】
【発明の効果】
以上説明したように、本発明による空気調和機のプレフィルタによれば、枠体の挿入方向に直交して肉薄部を表裏交互に設けてなり、フィルタ挿入ガイドへの装着時に同肉薄部が交互に折曲してフリーツを形成するようにしたので、室内ユニットの吸込口に備えるフィルタ挿入ガイドに挿着することにより、同肉薄部が交互に折曲してフリーツを形成するので、装着時のフィルタ効果を高めることができ、外した状態では肉薄部を伸ばしてフィルタが略平面状になるので、清掃を容易に行うことができる。
【図面の簡単な説明】
【図１】空気調和機のプレフィルタの実装状態を示す、要部断面図である。
【図２】本発明による空気調和機のプレフィルタの一実施例を示す要部断面図で、（Ａ）は実装状態、（Ｂ）は外して伸ばした状態を示している。
【図３】本発明による空気調和機のプレフィルタの他の実施例を示す要部拡大図である。
【図４】本発明による空気調和機のプレフィルタの他の実施例を示す要部拡大図である。
【図５】従来の空気調和機のプレフィルタを示す斜視図である。
【符号の説明】
１  プレフィルタ
１ａ  フィルタ
２  枠体
２ａ  肉薄部
２ａ１  中厚部
２ａ２  板バネ
３  室内ユニット
３ａ  吸込口
３ｂ  フィルタ挿入ガイド３ｂ
３ｂ１  突起
【図１】
0003855433.tif 000002
【図２】
0003855433.tif 000003
【図３】
0003855433.tif 000004
【図４】
0003855433.tif 000005
【図５】
0003855433.tif 000006